(57)【要約】【課題】開閉扉からガラス板のみを取り外して清掃できるガス調理器具を提供する。【解決手段】ビルトインコンロでは、支軸４８を中心に回動する開閉扉１５は、本体枠７０と、押さえ枠８０と、本体枠７０と押さえ枠８０との間に挟持されたガラス板９０とからなる。開閉扉１５からガラス板９０のみを取り出す場合、本体枠７０に対して押さえ枠８０の下端側をトルクバネ５８による付勢に抗して押し下げる。この場合、押さえ枠８０の支軸係止片８７が支軸４８に係止していることから、押さえ枠８０のみが支軸４８を中心に下方に回動する。すると、本体枠７０と押さえ枠８０との間に隙間ができるので、本体枠７０の係止片７８に係止していたガラス板９０が押さえ枠８０の表面に沿って滑り落ちる。従って、開閉扉１５からガラス板９０のみを簡単に取り出すことができる。【選択図】図６
2010022502.tif 000002
【特許請求の範囲】
【請求項１】
前面に開口部が形成された箱状の調理庫と、当該調理庫内に収納され、被調理物が載置される焼き網を備えた受け皿と、前記開口部の上部近傍に設けられ、前記調理庫の左右方向に延設された支軸と、当該支軸に挿通され、前記支軸を中心に前記調理庫の上下方向に回動して前記開口部を開閉する開閉扉と、前記受け皿の出し入れに連動させて、前記開閉扉を開閉させる扉連動機構とを備えたガス調理器具であって、
前記開閉扉は、
前記支軸に一端側が軸支され、当該一端側とは反対の他端側が前記一端を中心に前記調理庫の上下方向に回動する矩形状の本体枠と、
前記開閉扉の全閉時における前記本体枠の使用者に対向する表面側とは反対の裏面側に重ねた状態で、前記支軸に一端側が軸支され、当該一端側とは反対の他端側が前記一端を中心に前記調理庫の上下方向に回動する矩形状の押さえ枠と、
前記本体枠と前記押さえ枠との間に挟まれた矩形状のガラス板と、
前記押さえ枠を前記本体枠側に付勢して回動させる付勢手段と
から構成されたことを特徴とするガス調理器具。
【請求項２】
前記付勢手段は、コイル状に形成され、前記支軸に外挿して取り付けられたトルクバネであって、
当該トルクバネの前記支軸側から前記押さえ枠の前記他端側に延びる一端が前記押さえ枠に固定され、
前記トルクバネの前記一端が前記押さえ枠を前記本体枠側に付勢して押し上げることを特徴とする請求項１に記載のガス調理器具。
【請求項３】
前記トルクバネは、前記支軸の長手方向両側に各々外挿して取り付けられたことを特徴とする請求項２に記載のガス調理器具。
【請求項４】
前記本体枠の前記他端には、前記押さえ枠側に突設され、前記ガラス板を係止するための係止片が設けられたことを特徴とする請求項１乃至３の何れかに記載のガス調理器具。
【請求項５】
前記扉連動機構は、
前記調理庫の側壁に設けられ、前記調理庫の前後方向に延設された長孔と、
当該長孔に遊挿され、前記調理庫の左右方向に設けられた長孔軸と、
一端が前記開閉扉に回動可能に連結され、他端が前記長孔軸に連結されたアーム状の連結部材と、
前記受け皿が前記調理庫内に収納される際に、前記長孔軸に当接し、前記長孔軸を前記長孔に沿って前記調理庫の後方に移動させることにより、前記連結部材を介して、前記トルクバネの付勢力に抗して前記開閉扉を閉じる方向に回動させる当接部と
から構成され、
前記トルクバネの前記一端が前記押さえ枠の前記他端側を前記本体枠側に付勢して押し上げることによって、前記開閉扉が全開状態に保持されることを特徴とする請求項２乃至４の何れかに記載のガス調理器具。
【発明の詳細な説明】
【技術分野】
【０００１】
本発明は、ガス調理器具に関し、調理庫内でガスを燃焼させて被調理物の調理を行うガス調理器具に関する。
【背景技術】
【０００２】
従来より、調理庫（グリル庫、又は加熱庫とも呼ぶ）内でガスを燃焼させて、魚等の被調理物の加熱調理を行うグリルを備えたガス調理器具（例えば、ガスコンロ）が知られている。調理庫の前面には開口部が形成され、該開口部から受け皿を外部に引き出すことで、受け皿に載置された焼き網に被調理物を載せ、又は取り出すことができる。受け皿には開口部を開閉するための開閉扉が一体となっており、受け皿が調理庫内に収納されると同時に、開口部が開閉扉で閉塞されるようになっている。
【０００３】
また、最近では、開閉扉と受け皿とが分離されたものも利用されている。例えば、受け皿と開閉扉とが分離されているとともに、加熱庫に対する受け皿の出し入れに連動して開閉扉が開口部を開閉できるガス調理器具が知られている（例えば、特許文献１参照）。このガス調理器具では、受け皿は、加熱庫の底壁に設けられたガイドに沿って直線的にスライドする。そして、その受け皿のスライド動作に連動して開閉扉が開口部を開閉する。このガス調理器具において、加熱庫から受け皿を引き出した状態では、受け皿に開閉扉が付いていないことから、焼き網に対して被調理物が載せ易くなると共に、焼き網に載置された被調理物が取り易くなる。また、このようなガス加熱調理器具では、開閉扉の中央にはガラス窓が設けられているのが一般的であり、加熱庫が開閉扉で閉じられた場合でも、そのガラス窓を介して加熱庫内を視認できるようになっている。
【特許文献１】実開平６―４５１３号公報
【発明の開示】
【発明が解決しようとする課題】
【０００４】
しかしながら、開閉扉のガラス窓は使用と共に汚れるため、ガラス窓の定期的な清掃が必要であるが、この場合、開閉扉を加熱庫から取り外さなければならないため、非常に手間であるという問題点があった。
【０００５】
本発明は、上記課題を解決するためになされたものであり、開閉扉からガラス板のみを取り外して清掃できるガス調理器具を提供することを目的とする。
【課題を解決するための手段】
【０００６】
上記目的を達成するために、請求項１に係る発明のガス調理器具は、前面に開口部が形成された箱状の調理庫と、当該調理庫内に収納され、被調理物が載置される焼き網を備えた受け皿と、前記開口部の上部近傍に設けられ、前記調理庫の左右方向に延設された支軸と、当該支軸に挿通され、前記支軸を中心に前記調理庫の上下方向に回動して前記開口部を開閉する開閉扉と、前記受け皿の出し入れに連動させて、前記開閉扉を開閉させる扉連動機構とを備えたガス調理器具であって、前記開閉扉は、前記支軸に一端側が軸支され、当該一端側とは反対の他端側が前記一端を中心に前記調理庫の上下方向に回動する矩形状の本体枠と、前記開閉扉の全閉時における前記本体枠の使用者に対向する表面側とは反対の裏面側に重ねた状態で、前記支軸に一端側が軸支され、当該一端側とは反対の他端側が前記一端を中心に前記調理庫の上下方向に回動する矩形状の押さえ枠と、前記本体枠と前記押さえ枠との間に挟まれた矩形状のガラス板と、前記押さえ枠を前記本体枠側に付勢して回動させる付勢手段とから構成されている。
【０００７】
また、請求項２に係る発明のガス調理器具は、請求項１に記載の発明の構成に加え、前記付勢手段は、コイル状に形成され、前記支軸に外挿して取り付けられたトルクバネであって、当該トルクバネの前記支軸側から前記押さえ枠の前記他端側に延びる一端が前記押さえ枠に固定され、前記トルクバネの前記一端が前記押さえ枠を前記本体枠側に付勢して押し上げることを特徴とする。
【０００８】
また、請求項３に係る発明のガス調理器具は、請求項２に記載の発明の構成に加え、前記トルクバネは、前記支軸の長手方向両側に各々外挿して取り付けられている。
【０００９】
また、請求項４に係る発明のガス調理器具は、請求項１乃至３の何れかに記載の発明の構成に加え、前記本体枠の前記他端には、前記押さえ枠側に突設され、前記ガラス板を係止するための係止片が設けられている。
【００１０】
また、請求項５に係る発明のガス調理器具は、請求項２乃至４の何れかに記載の発明の構成に加え、前記扉連動機構は、前記調理庫の側壁に設けられ、前記調理庫の前後方向に延設された長孔と、当該長孔に遊挿され、前記調理庫の左右方向に設けられた長孔軸と、一端が前記開閉扉に回動可能に連結され、他端が前記長孔軸に連結されたアーム状の連結部材と、前記受け皿が前記調理庫内に収納される際に、前記長孔軸に当接し、前記長孔軸を前記長孔に沿って前記調理庫の後方に移動させることにより、前記連結部材を介して、前記トルクバネの付勢力に抗して前記開閉扉を閉じる方向に回動させる当接部とから構成され、前記トルクバネの前記一端が前記押さえ枠の前記他端側を前記本体枠側に付勢して押し上げることによって、前記開閉扉が全開状態に保持されることを特徴とする。
【発明の効果】
【００１１】
請求項１に係る発明のガス調理器具では、調理庫の開口部は、支軸を中心に回動する開閉扉によって開閉される。この開閉扉の開閉は、扉連動機構によって調理庫に対する受け皿の出し入れに連動して行われる。開閉扉は、本体枠と押さえ枠との間にガラス板が挟まれた状態で一枚の扉を構成している。本体枠及び押さえ枠は、何れも自身の一端側が支軸に軸支されている。押さえ枠は、付勢手段によってガラス板を介して本体枠側に付勢されているので、ガラス板は本体枠と押さえ枠との間に挟持された状態となっている。よって
ガラス板を清掃する場合、押さえ枠の他端側を付勢手段による付勢力に抗して本体枠から引き離して回動させることで、本体枠と押さえ枠との間に隙間ができる。この状態で、ガラス板を引き抜くことによって、開閉扉からガラス板のみを取り出すことができるので、ガラス板のみを清掃することができる。
【００１２】
また、請求項２に係る発明のガス調理器具では、請求項１に記載の発明の効果に加え、付勢手段はトルクバネであるので、押さえ枠に対して効果的に付勢をかけることができる。トルクバネは支軸に外挿して取り付けられ、その一端が押さえ枠に固定されている。そして、その一端が押さえ枠を本体側に付勢して押し上げるので、押さえ枠によってガラス枠が本体枠に対して押しつけられるので、本体枠と押さえ枠との間にガラス板を保持することができる。さらに、本体枠が押し上げられることによって、開閉扉全体が押し上げられるので、調理庫の開口部を開く方向に開閉扉を回動させることができる。
【００１３】
また、請求項３に係る発明のガス調理器具では、請求項２に記載の発明の効果に加え、トルクバネは、支軸の長手方向の両側に各々取り付けられているので、押さえ枠全体に対してバランスよく確実に付勢をかけることができる。これにより、開閉扉全体をバランスよくスムーズに回動させることができる。
【００１４】
また、請求項４に係る発明のガス調理器具では、請求項１乃至３の何れかに記載の発明の効果に加え、本体枠の裏面側に押さえ枠が重ねられた状態で、押さえ枠が本体枠側に付勢手段によって付勢されると共に、押さえ枠の他端が、本体枠の他端に設けられた係止片に係止するので、ガラス板が抜け落ちるのを防止できる。
【００１５】
また、請求項５に係る発明のガス調理器具では、請求項２乃至４の何れかに記載の発明の効果に加え、調理庫に対して受け皿を収納する場合、その受け皿の移動に伴って当接部が長孔軸に当接する。長孔軸は長孔に沿って調理庫の後方に移動し、その長孔軸の移動に伴い、連結部材を介して開閉扉が閉じる方向に回動する。受け皿が調理庫から引き出された状態では、トルクバネの一端が押さえ枠の他端側を本体枠側に付勢して押し上げるので、開閉扉を全開状態に保持できる。
【発明を実施するための最良の形態】
【００１６】
以下、本発明の一実施形態であるビルトインコンロ１について、図面を参照して説明する。図１は、ビルトインコンロ１の斜視図である。図２は、受け皿６０を引き出した状態のビルトインコンロ１の斜視図である。図３は、受け皿６０をレール機構３０から取り外した状態のビルトインコンロ１の斜視図である。図４は、図２に示すＩ−Ｉ線矢視方向断面図である。図５は、図１に示すＩＩ−ＩＩ線矢視方向断面図である。なお、図１に示すビルトインコンロ１が本発明の「ガス調理器具」に相当する。
【００１７】
はじめに、ビルトインコンロ１の全体構造について概略的に説明する。図１に示すように、ビルトインコンロ１は、略直方体状の筐体２を備えている。筐体２の天面にはトッププレート４が設けられている。トッププレート４の左右両側には、ガスバーナ５，７が各々設けられ、それらガスバーナ５，７に挟まれる中央奥側には、とろ火用のガスバーナ６が設けられている。これらガスバーナ５，６，７の各中心部には、調理容器の底部に当接して、その底部温度を検知するための温度センサ５ａ，６ａ，７ａが各々設けられている。ガスバーナ５，６，７の各上部周囲には、調理容器を載置するための五徳９，１０，１１が各々設けられている。
【００１８】
トッププレート４の後端側には、後述するグリル庫４５（図４参照）に連通する排気口１３が設けられている。排気口１３には、複数の孔を有し、グリル庫４５内からの炎のあふれを抑制するための一対の安全網１４ａ，１４ｂが設置されている。
【００１９】
筐体２の幅方向中央の内側には、筐体２の前後方向に長手を有し、被調理物を庫内で加熱するためのグリル庫４５（図５参照）が組み込まれている。図２，図３に示すように、グリル庫４５の前面には開口部８が形成され、該開口部８は、筐体２の正面中央に形成された矩形状の開口１２の内側に配置されている。開口部８の上端部にはグリル庫４５の左右方向に延びる支軸４８が設けられ、その支軸４８に対して開閉扉１５が回動可能に軸支されている。これにより、開口部８は開閉扉１５によって開閉される。開閉扉１５の下方には、受け皿６０をグリル庫４５から引き出すための取手部材１６が設けられている。なお、図４に示すグリル庫４５が本発明の「調理庫」に相当する。
【００２０】
図２に示すように、受け皿６０は、グリル庫４５（図３参照）内に設けられたレール機構３０によって、グリル庫４５の内側と外側との間をスライド可能に支持されている。よって、取手部材１６を手前に引くと、その取手部材１６の裏側に連結された受け皿６０が庫外にスライドして引き出されるようになっている。この受け皿６０には焼き網２７が載置されている。よって、受け皿６０を庫外に引き出した状態において、焼き網２７上に被調理物を載せたり、焼き網２７上に載せられた被調理物を取り出すことができる。さらに、本実施形態では、図３に示すように、受け皿６０はレール機構３０に対して着脱可能である。よって、加熱調理後に、受け皿６０をレール機構３０から取り外すことによって、受け皿６０に載せられた被調理物を所望の場所にそのまま運ぶことができる。
【００２１】
また、グリル庫４５には、レール機構３０による受け皿６０のスライド動作に連動して、開閉扉１５を開閉させるための扉連動機構５０（図４参照）が設けられている。この扉連動機構５０によれば、図４，図５に示すように、受け皿６０を庫内に収納することで開閉扉１５は自動的に閉じられ、その反対に、受け皿６０を庫外に引き出すことで開閉扉１５が自動的に開かれる。なお、レール機構３０の構造、レール機構３０に対する受け皿６０の着脱構造、および扉連動機構５０の構造については後述する。
【００２２】
ところで、図１，図２に示すように、筐体２の正面左側には、ガスバーナ５を点火するための点火スイッチ１７が設けられている。その点火スイッチ１７の右隣りには、ガスバーナ６を点火するための点火スイッチ１８が設けられている。さらに、グリル庫４５の開閉扉１５を挟んで、筐体２の正面右側には、ガスバーナ７を点火するための点火スイッチ２０が設けられている。その点火スイッチ２０の左隣りには、グリル庫４５の内側に設けられたグリルバーナ（図示外）を点火するための点火スイッチ１９が設けられている。さらに、各点火スイッチ１７〜２０の上側には、対応する各バーナの火力をそれぞれ調節するための火力調節レバー２１〜２４が各々設けられている。
【００２３】
また、筐体２の正面左下であって、点火スイッチ１７，１８の下側には、ビルトインコンロ１を操作するための操作パネル２５が回動可能に設けられている。未使用時には筐体２の内側に収納され、使用時には収納状態の操作パネル２５を押下することで、筐体２の外側に回動されて操作可能となる。一方、筐体２の正面右下であって、点火スイッチ１９，２０の下側には、ビルトインコンロ１の電源を供給する乾電池を格納するための電池ボックス２６が設けられている。
【００２４】
次に、レール機構３０の構造について説明する。図４に示すように、レール機構３０は、グリル庫４５の左右の両側壁４６の各内面の下端部に沿って各々固定された一対の固定レール３１と、該一対の固定レール３１の内側に沿ってグリル庫４５の前後方向にスライド可能に支持された一対の第１可動レール３２と、該一対の第１可動レール３２の内側に沿ってグリル庫４５の前後方向にスライド可能に支持された一対の第２可動レール３３とからなる。なお、図４では、一対の各レールのうち、右側の各レールについてのみ図示している。
【００２５】
そして、固定レール３１と第１可動レール３２とが互いにすれ違う間には、複数の小型ローラが並列してなるローラユニット（図示外）が配設されている。第１可動レール３２と第２可動レール３３とが互いにすれ違う間にも、同様のローラユニット（図示外）が配設されている。さらに、固定レール３１の前端側には、第１ストッパ（図示外）が設けられている。第１可動レール３２の後端側には、第１可動レール３２が引き出された際に、第１ストッパに係止する第１係止部（図示外）が設けられている。これらにより、固定レール３１から第１可動レール３２が抜けるのを防止できる。
【００２６】
また、第１可動レール３２の前端側には、第２ストッパ（図示外）が設けられている。第２可動レール３３の後端側には、第２可動レール３２が引き出された際に、第２ストッパに係止する第２係止部（図示外）が設けられている。これにより、第１可動レール３２から第２可動レール３３が抜けるのを防止できる。このような構成からなるレール機構３０において、一対の第２可動レール３２の前側には、受け皿６０を着脱可能に保持するための正面視矩形状の保持枠４０が組み付けられている。
【００２７】
ここで、保持枠４０の構造について説明する。図３に示すように、保持枠４０は、右側の第２可動レール３２に固定された長尺状の右枠部４１と、左側の第２可動レール３２に固定された長尺状の左枠部４２と、右枠部４１の前端部と左枠部４２の前端部との間に渡設された長尺状の前方枠部４３と、右枠部４１の後端部と左枠部４２の後端部との間に渡設された長尺状の後方枠部４４とからなる。これら右枠部４１、左枠部４２、前方枠部４３、後方枠部４４は、何れも長手方向に直交する断面が略Ｌ字状に形成されている。
【００２８】
そして、右枠部４１及び左枠部４２は、一対の第２可動レール３２の上面を覆いつつ、第２可動レール３２の内面に沿って略直角に屈曲されている。右枠部４１について、前方枠部４３の上面を覆う部分の外側の一端部であってグリル庫４５の前方側には、扉連動機構５０の後述する連結アーム５３の一端部に軸支されたローラ５５に当接して、グリル庫４５の奥側に付勢するための当接部３６（図４参照）が設けられている。
【００２９】
このような構成からなる保持枠４０の内側に対して、受け皿６０の底部が嵌ると共に、右枠部４１及び左枠部４２に対して、受け皿６０の左右両縁部が載置されることによって、保持枠４０に受け皿６０が保持される。
【００３０】
このように、受け皿６０は保持枠４０に保持された状態で、レール機構３０によってスライド移動するので、グリル庫４５に対して受け皿６０は接触しない。よって、受け皿６０をグリル庫４５に対して滑らかに出し入れできる。さらに、受け皿６０がグリル庫４５に擦れることで生じる摩擦音を生じないので、受け皿６０の出し入れを静音化できる。また、受け皿６０は、第１，第２可動レール３２，３３を介して固定レール３１に沿って移動するので、グリル庫４５内におけるスライド経路が決まっている。これにより、グリル庫４５内で受け皿６０がガタつくことが無く、スライド動作に不具合を生じないので、受け皿６０の出し入れを滑らかにかつ安定して行うことができる。
【００３１】
次に、本発明の特徴である開閉扉１５の構造について、図６乃至図９を参照して説明する。図６は、開閉扉１５の分解斜視図である。図７は、開閉扉１５の斜視図である。図８は、右側から見た開閉扉１５の内部構造を示した図である。図９は、押さえ枠８０を本体枠７０から押し下げてガラス板９０を引き抜いた状態を示した図である。
【００３２】
図６に示すように、開閉扉１５は、平面視矩形状の本体枠７０と、該本体枠７０のユーザに対向する表面側とは反対の裏面側に重ねられた平面視矩形状の押さえ枠８０と、本体枠７０と押さえ枠８０との間に挟持された平面視矩形状のガラス板９０とから構成されている。以下、各構成部品の構造について順に説明する。
【００３３】
まず、本体枠７０の構造について説明する。図６に示すように、本体枠７０の略中央には矩形状の開口であるガラス用開口７５が形成されている。本体枠７０の左右の両端部には、本体枠７０の裏面に対して略直角に立設された側面視Ｌ字状の支持片７２，７３が設けられている。支持片７２，７３において、開閉扉１５を上下方向に立てた状態（全閉状態）の各上部には、支軸４８が挿通される支軸挿通孔７６が各々設けられている。それら支軸挿通孔７６の各下方には、後述する連結アーム５３の一端部を回動可能に軸支するための連結孔７７が各々設けられている。また、本体枠７０の下端部には、本体枠７０の裏面側に略直角に突出するガラス板係止片７８が設けられている。
【００３４】
次に、押さえ枠８０の構造について説明する。図６に示すように、押さえ枠８０の略中央には矩形状の開口であるガラス用開口８５が形成されている。開閉扉１５を立てた状態（全閉状態）において、押さえ枠８０の左右両端部の下側には、押さえ枠８０の裏面に対して略直角に立設された支持片８２，８３が設けられている。これら支持片８２，８３の各上部には、トルクバネ５８の固定部５８ａをビス８９で固定するためのバネ固定孔８６が各々設けられている。さらに、ガラス用開口８５の内縁のうち左右方向に延びる上側の部分には、押さえ枠８０の裏面側に向かって略直角に突出する支軸係止片８７が設けられている。また、押さえ枠８０の下端部の左右両側を除く部分には、押さえ枠８０の裏面側に向かって略直角に突設された突出片８８が設けられている。
【００３５】
次に、支軸４８に取り付けられるトルクバネ５８について説明する。図６に示すように、支軸４８において、本体枠７０の内側に設置される部分の左右両側には、コイル状のトルクバネ５８が各々外挿されて取り付けられている。各トルクバネ５８の一端部は、開閉扉１５の下端側に向かって延設され、その先端部にはループ状の固定部５８ａが形成されている。
【００３６】
次に、開閉扉１５の組立構造について説明する。図７，図８に示すように、本体枠７０の支軸挿通孔７６に対して、支軸４８が挿通されることによって、本体枠７０の下端側が支軸４８を中心に回動する。図８に示すように、本体枠７０の裏面側には、押さえ枠８０が重ねられ、支軸４８に対して上方から支軸係止片８７が係止されている。そして、支軸４８に取り付けられた一対のトルクバネ５８，５８の各固定部５８ａは、押さえ枠８０の左右両側の支持片８２，８３に各々設けられたバネ固定孔８６に対してビス８９で固定されている。ここで、トルクバネ５８の固定部５８ａは、開閉扉１５を全開（水平）にした状態で押さえ枠８０に固定されている。これにより、押さえ枠８０の下端側を押し下げて回動させた場合、トルクバネ５８の固定部５８ａが下方に押し下げられてトルクがかかるので、押さえ枠８０の下端側を押し上げようとする付勢がかかるようになっている。
【００３７】
このような組立構造からなる開閉扉１５を略水平状態にして、その下端側を押し下げて支軸４８を中心に回動させると、トルクバネ５８の固定部５８ａが押さえ枠８０と共に下方に引っ張られるので、トルクバネ５８にトルクがかかる。このトルクによって、トルクバネ５８の固定部５８ａが固定された押さえ枠８０は押し上げられ、ガラス板９０を介して本体枠７０を押し上げる。これにより、本体枠７０と押さえ枠８０との間にガラス板９０を挟持できると共に、開閉扉１５を略水平状態である基本姿勢に保持することができる。そして、この開閉扉１５の基本姿勢が、グリル庫４５の開口部８を全開にする姿勢となる。
【００３８】
このように、トルクバネ５８が発生する力の方向と、開閉扉１５の回転方向とをほぼ同じにすることができるので、開閉扉１５を開いた状態に保持することができる。さらに、トルクバネ５８は、支軸４８に外挿された状態でトルクを発生できるので、他部品に接触せず、開閉扉１５の開閉について静音化することができる。
【００３９】
次に、開閉扉１５からガラス板９０のみを取り出す方法について説明する。図９に示すように、まず、本体枠７０に対して、押さえ枠８０の下端側を指で押し下げる。この場合、トルクバネ５８の固定部５８ａ（図６参照）を押し下げるため、トルクバネ５８にトルクがかかるが、押さえ枠８０の支軸係止片８７が支軸４８に係止していることから、押さえ枠８０のみが支軸４８を中心に下方に回動する。すると、本体枠７０と押さえ枠８０との間に隙間ができるので、本体枠７０のガラス板係止片７８に係止していたガラス板９０が押さえ枠８０の表面に沿って滑り落ちる。こうして、開閉扉１５からガラス板９０のみを簡単に取り出すことができるので、ガラス板９０を清掃することができる。なお、ガラス板９０を取り付ける場合は、上記した取り出す方法とは逆の流れで行えばよい。
【００４０】
このように、トルクバネ５８は、押さえ枠８０を本体枠７０に対して付勢することで、ガラス板９０を保持する機能に加え、押さえ枠８０を本体枠７０に付勢して押し上げることで、開閉扉１５全体を押し上げて全開状態にする機能を併せ持っている。これにより、部品点数が削減されるので、開閉扉１５の開閉構造を簡素化できると共に、コストを削減できる。  
【００４１】
次に、扉連動機構５０の構造について説明する。図４に示すように、扉連動機構５０は、開閉扉１５の本体枠７０における支持片７２，７３に各々設けられた連結孔７７に一端側が回動可能に連結された連結アーム５３と、該連結アーム５３の他端部に設けられ、グリル庫４５に向かって略直角に延設された長孔軸５４と、該長孔軸５４に軸支されたローラ５５と、グリル庫４５の左右の側壁４６の下側にかつグリル庫４５の前後方向に延設され、前記ローラ５５をガイドするための長孔５１とからなる。
【００４２】
連結アーム５３はグリル庫４５の前方に向かって膨出するように２カ所で曲げられている。長孔５１は、連結アーム５３の他端部をグリル庫４５の奥側にガイドするために、グリル庫４５の前側から奥側に向かって略水平に延設されている。さらにその奥側で上方に屈曲させることによって、開閉扉１５の閉塞時における連結アーム５３の他端部の移動を規制している。
【００４３】
次に、扉連動機構５０の動作について説明する。図４に示すように、まず、受け皿６０が庫外に引き出された状態では、開閉扉１５はトルクバネ５８の付勢によって開いた状態に保持されている。つまり、開閉扉１５は上方に跳ね上がっているので、連結アーム５３の他端部に軸支されたローラ５５は、グリル庫４５の側壁４６に設けられた長孔５１の前側まで引き戻された状態となっている。次いで、受け皿６０をグリル庫４５内に収納するために、取手部材１６を筐体２に向かって押すことによって、受け皿６０をグリル庫４５の内側に向かってスライドさせる。すると、保持枠４０に設けられた当接部３６が、グリル庫４５の長孔５１に遊挿されたローラ５５に当接する。
【００４４】
さらに、取手部材１６を押し込むことによって、当接部３６がローラ５５をグリル庫４５の奥側に付勢するので、ローラ５５は長孔５１の内縁に沿って転動する。そして、ローラ５５がグリル庫４５の奥側に移動することによって、連結アーム５３の他端部がグリル庫４５の奥側に引っ張られる。これに伴い、トルクバネ５８の付勢に抗して、開閉扉１５が引っ張られて下方に回動する。そして、受け皿６０がグリル庫４５内に収納され、取手部材１６がグリル庫４５の前方の開口端に当接した状態で開閉扉１５は完全に閉じた状態（図５参照）となる。このとき、保持枠４０の後方枠部４４に固定された突起部（図示外）が、グリル庫４５の背壁の内面下部に固定された保持ユニット（図示外）によって、左右両側から挟まれて挟持される。これにより保持枠４０がグリル庫４５内に固定される。
【００４５】
そして、受け皿６０を庫外に引き出す場合は、上記説明した流れと逆である。図５に示すように、まず、取手部材１６を手前に徐々に引き出すと、ローラ５５に対する当接部３６の付勢が無くなるので、当接部３６が前側に移動するのに伴ってローラ５５が前方に移動する。これは、トルクバネ５８の付勢が支配的となるので、開閉扉１５が押し上げられ、これに伴って連結アーム５３の他端部に軸支されたローラ５５がグリル庫４５の前方に引っ張られるからである。こうして、図４に示すように、ローラ５５から当接部３６が離間して、受け皿６０が庫外に引き出された状態では、開閉扉１５は跳ね上げられ、グリル庫４５の開口部８を完全に露呈した状態とすることができる。
【００４６】
以上説明したように、本実施形態のビルトインコンロ１では、開閉扉１５は、本体枠７０と、該本体枠７０の裏面側に重ねられた押さえ枠８０と、これら本体枠７０と押さえ枠８０との間に挟持された平面視矩形状のガラス板９０とから構成されている。本体枠７０に支軸４８が挿通されることで、本体枠７０の下端側が支軸４８を中心に回動する。その本体枠７０の裏面側には、押さえ枠８０が重ねられ、支軸４８に対して上方から支軸係止片８６が係止されている。さらに、支軸４８に取り付けられたトルクバネ５８の固定部５８ａが、押さえ枠８０の支持片８２，８３に設けられたバネ固定孔８６にビス８９で固定されている。このような構造において、押さえ枠８０の下端側を押し下げて回動させると、トルクバネ５８の固定部５８ａが下方に押し下げられてトルクがかかるようになっている。
【００４７】
このような開閉扉１５からガラス板９０のみを取り出す場合、本体枠７０に対して、押さえ枠８０の下端側をトルクバネ５８による付勢に抗して指で押し下げる。この場合、押さえ枠８０の支軸係止片８７が支軸４８に係止していることから、押さえ枠８０のみが支軸４８を中心に下方に回動する。すると、本体枠７０と押さえ枠８０との間に隙間ができるので、本体枠７０のガラス板係止片７８に係止していたガラス板９０が押さえ枠８０の表面に沿って滑り落ちる。こうして、開閉扉１５からガラス板９０のみを簡単に取り出すことができるので、ガラス板９０の清掃を容易にすることができる。
【００４８】
また、トルクバネ５８による付勢によって、トルクバネ５８の固定部５８ａが固定された押さえ枠８０は押し上げられ、ガラス板９０を介して本体枠７０を押し上げる。よって、開閉扉１５は略水平状態である基本姿勢を保持することができ、グリル庫４５の開口部８を全開にすることができる。つまり、トルクバネ５８は、押さえ枠８０を本体枠７０に対して付勢することで、ガラス板９０を保持する機能に加え、押さえ枠８０を本体枠７０に付勢して押し上げることで、開閉扉１５全体を押し上げて全開状態にする機能を併せ持っている。これにより、部品点数が削減されるので、開閉扉１５の開閉構造を簡素化できると共に、コストを削減できる。
【００４９】
なお、本発明に係るガス調理器具は、上記実施形態に限定されるわけではなく、その趣旨を逸脱しない範囲において種々変形してもよい。例えば、押さえ枠８０を本体枠７０側に付勢するために、支軸４８にトルクバネ５８を取り付けたが、押さえ枠８０を押し上げる付勢手段については、トルクバネに限定されない。
【産業上の利用可能性】
【００５０】
本発明のガス調理器具は、ビルトインコンロに限らず、テーブルコンロにも適用可能である。
【図面の簡単な説明】
【００５１】
【図１】ビルトインコンロ１の斜視図である。
【図２】受け皿６０を引き出した状態のビルトインコンロ１の斜視図である。
【図３】受け皿６０をレール機構３０から取り外した状態のビルトインコンロ１の斜視図である。
【図４】図２に示すＩ−Ｉ線矢視方向断面図である。
【図５】図１に示すＩＩ−ＩＩ線矢視方向断面図である。
【図６】開閉扉１５の分解斜視図である。
【図７】開閉扉１５の斜視図である。
【図８】右側から見た開閉扉１５の内部構造を示した図である。
【図９】押さえ枠８０を本体枠７０から押し下げてガラス板９０を引き抜いた状態を示した図である。
【符号の説明】
【００５２】
１    ビルトインコンロ
８    開口部
１５    開閉扉
２７    焼き網
３６    当接部
４５    グリル庫
４６    側壁
４８    支軸
５０    扉連動機構
５１    長孔
５３    連結アーム
５４    長孔軸
５５    ローラ
５８    トルクバネ
５８ａ  固定部
６０    受け皿
７０    本体枠
７２    支持片
７８    ガラス板係止片
８０    押さえ枠
８２    支持片
９０    ガラス板
【図１】
2010022502.tif 000003
【図２】
2010022502.tif 000004
【図３】
2010022502.tif 000005
【図４】
2010022502.tif 000006
【図５】
2010022502.tif 000007
【図６】
2010022502.tif 000008
【図７】
2010022502.tif 000009
【図８】
2010022502.tif 000010
【図９】
2010022502.tif 000011